(57)【要約】      （修正有）【課題】ディスクドライブに内臓された発熱部位を効率よく冷却し、高熱によるシャットダウンを回避し、電子素子等の劣化を軽減して長寿命に保つことができる外付けディスクドライブを提供する。【解決手段】ディスクドライブ３の一側面に電圧入力端子および信号入出力端子が設けられ、中空部２ｇを有したケース本体２の内側面には電源接続端子と信号伝送端子とが設けられ、開口２ｈを介し前記中空部２ｇ内に前記ディスクドライブ３を収納したとき、前記電源接続端子に前記電圧入力端子が、また、前記信号伝送端子に前記信号入出力端子がそれぞれ接する外付けディスクドライブ１において、前記ディスクドライブ３の発熱部位に対向する前記ケース本体２の内外側面に沿ってパイプ８を配管し、このパイプ８内に冷却用液体を吐出して循環させるポンプ７を備え、このポンプ７の駆動部に設けた電圧入力端子を前記電源接続端子に接続してなる。【選択図】図１
2004355686.tif 000002
【特許請求の範囲】
【請求項１】
ディスクを駆動するディスクドライブの一側面に電圧入力端子および信号入出力端子が設けられ、前記ディスクドライブを収納する中空部を有したケース本体の前面に開口が形成され、前記中空部の内側面には電源接続端子と信号伝送端子とが設けられ、前記電源接続端子に電源コードが接続されるとともに、前記信号伝送端子に信号伝送線が接続され、前記開口を介し前記中空部内に前記ディスクドライブを収納したとき、前記電源接続端子に前記電圧入力端子が、また、前記信号伝送端子に前記信号入出力端子がそれぞれ接する外付けディスクドライブにおいて、
前記ディスクドライブの発熱部位に対向する前記ケース本体の内外側面に沿ってパイプを配管し、このパイプ内に冷却用液体を吐出して循環させるポンプを備え、このポンプの駆動部に設けた電圧入力端子を前記電源接続端子に接続してなることを特徴とする外付けディスクドライブ。
【請求項２】
ディスクを駆動するディスクドライブの一側面に電圧入力端子および信号入出力端子が設けられ、前記ディスクドライブを収納する中空部を有したケース本体の前面に開口が形成され、前記中空部の内側面には電源接続端子と信号伝送端子とが設けられ、前記電源接続端子に電源コードが接続されるとともに、前記信号伝送端子に信号伝送線が接続され、前記開口を介し前記中空部内に前記ディスクドライブを収納したとき、前記電源接続端子に前記電圧入力端子が、また、前記信号伝送端子に前記信号入出力端子がそれぞれ接する外付けディスクドライブにおいて、
前記ケース本体の内外側面に沿ってパイプを配管し、このパイプ内に冷却用液体を吐出して循環させるポンプを備え、このポンプの駆動部に設けた電圧入力端子を前記電源接続端子に接続してなることを特徴とする外付けディスクドライブ。
【請求項３】
前記パイプが、前記ディスクドライブの発熱部位に対向する前記ケース本体の内外側面に沿って配管されてなることを特徴とする請求項２に記載の外付けディスクドライブ。
【請求項４】
前記パイプが、前記ディスクドライブの外側面を覆うように配管されてなることを特徴とする請求項２または３に記載の外付けディスクドライブ。
【請求項５】
前記ケース本体の外側面に、放熱用フィンが設けられてなることを特徴とする請求項２ないし３の何れかに記載の外付けディスクドライブ。
【発明の詳細な説明】
【０００１】
【発明の属する技術分野】
本発明は、光ディスクを回転駆動して情報を記録・再生するディスクドライブをケース本体に収納した外付けディスクドライブに係り、特に、ケース本体を冷却して内部の発熱を抑制し得る外付けディスクドライブに関する。
【０００２】
【従来の技術】
パーソナルコンピュータ（ＰＣ）やディスクプレイヤー等で使用される光ディスクは、ディスクドライブによって再生されるが、このディスクドライブには、機器本体内に内蔵されるタイプと、機器本体とは別体の筐体内に収納される外付けタイプとがある。
機器本体に内蔵されるタイプの一例として、塵埃の付着を防止することを目的とした光ディスク装置が提案されている（例えば、特許文献１参照）。
このものは、筐体の内部と外部との間で冷却液を強制循環させ、筐体の内部で発生する熱を冷却液で吸収し、筐体の外部で放出する冷却手段を備えた構成になっている。
この光ディスク装置は、冷却手段を動作させれば、筐体の内部と外部との間で効率よく熱の交換が行われるので、筐体内部に配設された光ヘッドの光学系や光ディスクに微細な塵埃が付着し難いというものである。
【０００３】
一方、ディスクドライブを外付けするタイプとしては、ディスク駆動装置冷却システム・ブラケットが知られている（例えば、特許文献２参照）。
この冷却システム・ブラケットは、フレーム、空気ダクト、フィルタ素子およびファンを備えており、このファンを起動させると、第１の開口とフィルタ素子を通して空気ダクトに外気を引き込み、その空気を第２の開口を通して周辺装置の内部へ向けるようになっている。
これにより、ＰＣの収納ケースに配された光ディスク駆動装置内に正の空気圧を作るように清浄冷却空気を供給することができ、ＰＣ内に塵埃が導入される問題が回避されるというものである。
【０００４】
【特許文献１】
特開平５−３２５５３２号公報
【特許文献２】
特開平５−２１７３５９号公報
【０００５】
【発明が解決しようとする課題】
ところで、上記特許文献１の光ディスク装置は、冷却手段により筐体の内部で発生する熱を冷却液で吸収し、筐体の外部で放出させるが、ディスクドライブをケース本体に収納する、所謂外付けディスクドライブに使用することを想定したものではなかった。また、発熱部位に集中して冷却液を循環させる構成ではないことから、熱の吸収効率が低く、従って熱放散にも一定の限界があった。
一方、特許文献２のディスク駆動装置冷却システム・ブラケットは、空気ダクトに引き込んだ空気を周辺装置の内部へ向ける構成になっているが、空気は水等の冷却液に比して冷却能力が低いために、やはり、熱源である周辺装置を冷却するには一定の限界があった。
このように、発熱体の冷却効率が低い場合、ＤＶＤ（Ｄｉｇｉｔａｌ  Ｖｅｒｓａｔｉｌｅ  Ｄｉｓｃ）への情報記録／再生用外付けＤＶＤドライブ等においては、近時の高速化に伴う問題に対応できなくなっていた。
【０００６】
即ち、外付けＤＶＤドライブにおいては、発熱体となる光ディスク回転用のスピンドルモータやＩＣチップ等を搭載した回路基板をケース本体に内蔵している。この外付けＤＶＤドライブは、ＤＶＤを高速回転させて情報処理能力をより高める傾向にあるが、情報処理の高速化に伴って発熱体も高温化する。
ＤＶＤドライブ自体が一定温度以上に上昇すると、その保護のためにサーマルシャットダウンを実行させて強制停止させるようになっているが、一時的にでも停止すればそれだけ情報処理能力が低下するという不具合があった。
また、ＩＣチップ等の電子素子は、高温に弱い性質があり、前述のような高温条件下で長時間使用され続けると劣化が早くなり、寿命が短かくなる問題も残されていた。
【０００７】
本発明は、上記課題に鑑みて創案されたもので、ディスクドライブに内臓された発熱部位を効率よく冷却し、高熱によるシャットダウンを回避して情報処理能力を高めるとともに、電子素子等の劣化を軽減して長寿命に保つことができる外付けディスクドライブを提供することを目的としている。
【０００８】
【課題を解決するための手段】
上記目的を達成するため、本発明のうち請求項１に記載の発明は、ディスクを駆動するディスクドライブの一側面に電圧入力端子および信号入出力端子が設けられ、前記ディスクドライブを収納する中空部を有したケース本体の前面に開口が形成され、前記中空部の内側面には電源接続端子と信号伝送端子とが設けられ、前記電源接続端子に電源コードが接続されるとともに、前記信号伝送端子に信号伝送線が接続され、前記開口を介し前記中空部内に前記ディスクドライブを収納したとき、前記電源接続端子に前記電圧入力端子が、また、前記信号伝送端子に前記信号入出力端子がそれぞれ接する外付けディスクドライブにおいて、前記ディスクドライブの発熱部位に対向する前記ケース本体の内外側面に沿ってパイプを配管し、このパイプ内に冷却用液体を吐出して循環させるポンプを備え、このポンプの駆動部に設けた電圧入力端子を前記電源接続端子に接続してなることを特徴としている。
【０００９】
また、請求項２に記載の発明は、ディスクを駆動するディスクドライブの一側面に電圧入力端子および信号入出力端子が設けられ、前記ディスクドライブを収納する中空部を有したケース本体の前面に開口が形成され、前記中空部の内側面には電源接続端子と信号伝送端子とが設けられ、前記電源接続端子に電源コードが接続されるとともに、前記信号伝送端子に信号伝送線が接続され、前記開口を介し前記中空部内に前記ディスクドライブを収納したとき、前記電源接続端子に前記電圧入力端子が、また、前記信号伝送端子に前記信号入出力端子がそれぞれ接する外付けディスクドライブにおいて、前記ケース本体の内外側面に沿ってパイプを配管し、このパイプ内に冷却用液体を吐出して循環させるポンプを備え、このポンプの駆動部に設けた電圧入力端子を
前記電源接続端子に接続してなることを特徴としている。
【００１０】
また、請求項３に記載の発明は、前記パイプが、前記ディスクドライブの発熱部位に対向する前記ケース本体の内外側面に沿って配管されてなることを特徴としている。
また、請求項４に記載の発明は、前記パイプが、前記ディスクドライブの外側面を覆うように配管されてなることを特徴としている。
また、請求項５に記載の発明は、前記ケース本体の外側面に、放熱用フィンが設けられてなることを特徴としている。
【００１１】
【発明の実施の形態】
以下、本発明の実施の形態について、図示例を参照しながら説明する。
図１は、本発明の実施の形態に係る外付けディスクドライブを示す斜視図、図２は、同外付けディスクドライブを示す平面図、図３は、同外付けディスクドライブを示す底面図である。
この外付けディスクドライブ１は、外付けＤＶＤドライブに適用されたもので、ケース本体２に冷却手段としてポンプ７およびパイプ８を備えることにより、ディスクドライブ３の発熱を外部に放散させる構成となっている。
ケース本体２は、全体が偏平な略矩形状に形成されており、上面２ｃのほぼ全体に放熱用の波形フィン６が設けられ、底面２ｄに脚部９，１０が取り付けられている（図３参照）。そして、前端２ａ側に開口２ｆが形成され、ケース本体２内には、ディスクドライブ３を収納可能な大きさの中空部２ｅを有している。
【００１２】
このディスクドライブ３も、筐体が偏平な略矩形状で、内部には光ディスク、スピンドルモータ、光学ヘッドおよび回路基板等を収納している。
なお、これら構成部品のうち、光ディスクを回転駆動させるスピンドルモータやＩＣチップ等の電子素子を搭載した回路基板が発熱体３ａ〜３ｅとなる。これら発熱体３ａ〜３ｅは、図３に示すように、ディスクドライブ３の各所に点在している。
このディスクドライブ３は、図示省略しているが、普及型と同じく発熱体３ａ〜３ｅの近傍に温度サーモを取り付けており、一定温度以上を検知すると、異常高温を示すアラーム信号を機器本体側に送信するようになっている。
この機器本体は、アラーム信号を受けた時点でディスクドライブ３をシャットダウンさせ、高温による故障の発生を未然に防止する構成となっている。
【００１３】
また、このディスクドライブ３は、筐体の後端面に間隔をあけて信号伝送接点および電圧供給接点を設けている。
一方、前記ケース本体２は、後端２ｂ側にインターフェース部４および電源回路部５が配設されている。
インターフェース部４は、内側面に信号伝送接点が、外側面に信号伝送端子が設けられている。また、電源回路部５は、内側面に電圧供給接点が、外側面に電圧供給端子が設けられている。
このため、ディスクドライブ３が開口２ｆから中空部２ｅに収納されたとき、このディスクドライブ３側の各接点とケース本体２側の各接点とが相互に接する。
【００１４】
なお、インターフェース部４の信号伝送端子には、信号伝送用のケーブル４ａが接続され、電源回路部５の電圧供給端子には、電圧供給用のコード５ａがそれぞれ接続されている。
さらに、この電圧供給端子には、ポンプ７のモータから配線されたリード線も接続されている。
これにより、インターフェース部４を介して機器本体とディスクドライブ３との間で信号の送受信が行われる。また、電源回路部５を介してディスクドライブ３およびポンプ７側に電圧が供給される。
【００１５】
このポンプ７は、パイプ８内に冷却水を吐出して循環させるもので、本体内にモータや制御回路を収納しており、一側面にスイッチ７ａを取り付けている。このスイッチ７ａは押圧式で、半透明の材料からなり、ＬＥＤランプを内蔵している。
このスイッチ７ａは、１度押すとオンになってポンプ７を起動させるとともに、ＬＥＤランプを点灯させる。また、スイッチ７ａを再度押すとオフになってポンプ７を停止させるとともに、ＬＥＤランプを消灯させるようになっている。
このポンプ７は、ケース本体２の後端２ｂ側に収納し、スイッチ７ａを外方に向けて露出させてある。これにより、ユーザーが容易にスイッチ操作することができる。
【００１６】
パイプ８は、一端８ａをポンプ７の吐出側に、他端８ｂを吸入側にそれぞれ接続し、管路をケース本体２の中空部２ｅにおける内側面に沿って配管している。
即ち、このパイプ８は、一端８ａ側をケース本体２の内側下面２ｇに沿わせ、発熱体３ａ〜３ｅに対向するよう蛇行状に前端２ａ側まで配管した後、内側面に沿わせて内側上面２ｈに立ち上げている。
さらに、このパイプ８は、内側上面２ｈに沿わせて蛇行状に後端２ｂ側まで配管した後、ポンプ７に接続している。
こうすると、中空部２ｅ内でディスクドライブ３の上下面がパイプ８の管路でほぼ覆われるが、適当な間隙を生じさせてあるので、ディスクドライブ３の挿脱には支障がない。
【００１７】
以上のように構成された外付けディスクドライブ１は、ユーザーが機器本体の操作によりディスクドライブ３の動作を開始させるとともに、スイッチ７ａをオン操作する。
これに伴い、ポンプ７が起動して冷却水がパイプ８の一端８ａから内側下面２ｇおよび内側上面２ｈの管路８を経て他端８ｂ側に戻る。
そして、ディスクドライブ３の動作に伴い、発熱体３ａ〜３ｅの温度が漸次上昇してゆくが、内側下面２ｇに沿わせたパイプ８内の冷却水が発熱体３ａ〜３ｅから集中的に熱を奪い、フィン６に近接した内側上面２ｈで熱放散させる。
すると、発熱体３ａ〜３ｅの温度上昇が抑制され、ディスクドライブ３全体を低温に保つことができる。この結果、温度サーモからアラーム信号が送信されることなく、ディスクドライブ３のシャットダウンが回避される。
【００１８】
図４は、他の実施の形態に係る外付けディスクドライブを示す斜視図である。
この外付けディスクドライブは、前記実施の形態と基本的構成が略同一であり、同一部分には同一符号を付して詳細な説明は省略する。
即ち、この外付けディスクドライブは、ケース本体２０の後端２ｂにおける上面２ｃにポンプ１７を取り付けている。このポンプ１７は、上部に前記ポンプ７と同じスイッチ７ａを備えており、このスイッチ７ａのオン・オフ操作でポンプ１７を発停させることができる。
そして、このポンプ１７の吐出側に分岐パイプ８Ａ，８Ｂの各一端８ｃ，８ｅが、吸入側に各他端８ｄ，８ｆがそれぞれ接続されている。
分岐パイプ８Ａは、ケース本体２０の右側面を立ち下げてから底面に沿わせ、前述の発熱体３ａ〜３ｅに対向するよう蛇行状に前端２ａ側まで配管した後、左側面より上面側に立ち上げている。
さらに、この分岐パイプ８Ａは、フィン６に沿わせて蛇行状に後端２ｂ側まで配管した後、ポンプ７に接続している。
【００１９】
他方の分岐パイプ８Ｂは、ケース本体２０の中空部内で立ち下げた後、内側下面２ｇに沿わせ、発熱体３ａ〜３ｅに対向するよう前後に延出する蛇行状に配管した後、内側上面２ｈに立ち上げている。
さらに、この分岐パイプ８Ｂは、内側上面２ｈに沿わせて前後に延出する蛇行状に後端２ｂ側まで配管した後、ポンプ７に接続している。
なお、分岐パイプ８Ｂは、ディスクドライブ３の挿入方向に合わせて蛇行状に配管されているので、挿脱作業が容易である。
このように構成された外付けディスクドライブは、分岐パイプ８Ａ，８Ｂによりケース本体２０のほぼ全体を覆っていることから、発熱体３ａ〜３ｅの放熱をより集中的に奪うことができ、冷却効率を一層高めることが可能である。
【００２０】
【発明の効果】
以上説明したように、本発明のうち請求項１に記載の発明は、ポンプを起動させるとディスクドライブの発熱部位に対向するケース本体の内外側面に沿って配管したパイプ内を冷却用液体が循環し、ディスクドライブに内臓された発熱部位を効率よく冷却できることから、高熱によるシャットダウンが回避されて情報処理能力が高められるとともに、電子素子等の劣化が軽減されて長寿命に保たれるといった効果がある。
また、請求項２に記載の発明は、ポンプを起動させるとケース本体の内外側面に沿って配管したパイプ内を冷却用液体が循環し、ディスクドライブに内臓された発熱部位を効率よく冷却できることから、高熱によるシャットダウンが回避されて情報処理能力が高められるとともに、電子素子等の劣化が軽減されて長寿命に保たれるといった効果がある。
【００２１】
また、請求項３に記載の発明は、パイプがディスクドライブの発熱部位に対向するケース本体の内外側面に沿って配管されているので、冷却用液体が発熱部位からの熱を集中的に奪って外方に放熱することができる利点がある。
また、請求項４に記載の発明は、パイプがディスクドライブの外側面を覆うように配管されているので、冷却用液体がディスクドライブの熱を外方に効率よく放熱することができる利点がある。
また、請求項５に記載の発明は、ケース本体の外側面に放熱用フィンが設けられていることから、このフィンの放熱作用によりディスクドライブの放熱をより促進することができる利点がある。
【図面の簡単な説明】
【図１】本発明の実施の形態に係る外付けディスクドライブを示す斜視図である。
【図２】同外付けディスクドライブを示す平面図である。
【図３】同外付けディスクドライブを示す底面図である。
【図４】他の実施の形態に係る外付けディスクドライブを示す斜視図である。
【符号の説明】
１  外付けディスクドライブ
２  ケース本体
２ｇ  中空部
２ｈ  開口
３  ディスクドライブ
７  ポンプ
８  パイプ
【図１】
2004355686.tif 000003
【図２】
2004355686.tif 000004
【図３】
2004355686.tif 000005
【図４】
2004355686.tif 000006